(57)【要約】【課題】  屋内に形成された複数の区画の空気中ＶＯＣ濃度を区画毎に独立して計測でき、計測結果に基づいて、屋内に形成された複数の区画の空気中ＶＯＣを区画毎に独立して除去できるＶＯＣ除去システムを提供する。【解決手段】  屋内空気からＶＯＣを回収して屋外に排出すると共にＶＯＣが除去された屋内空気を屋内へ戻すＶＯＣ除去装置と、ＶＯＣ除去装置内に配設されたＶＯＣセンサーと、屋内の複数の区画中の任意の一つ又は複数をＶＯＣ除去装置に接続する接続装置とを備える。【選択図】  図１
2006242482.tif 000002
【特許請求の範囲】
【請求項１】
屋内空気からＶＯＣを回収して屋外に排出すると共にＶＯＣが除去された屋内空気を屋内へ戻すＶＯＣ除去装置と、ＶＯＣ除去装置内に配設されたＶＯＣセンサーと、屋内の複数の区画中の任意の一つ又は複数をＶＯＣ除去装置に接続する接続装置とを備えることを特徴とするＶＯＣ除去システム。
【請求項２】
屋内の複数の区画を順次択一的に接続装置によりＶＯＣ除去装置に接続してＶＯＣセンサーにより空気中のＶＯＣ濃度を計測し、全区画の空気中のＶＯＣ濃度を計測した後、空気中のＶＯＣ濃度が規定値を超える区画を択一的に又は複数纏めて接続装置によりＶＯＣ除去装置に接続して空気中のＶＯＣを除去することを特徴とする請求項１に記載のＶＯＣ除去システム。
【請求項３】
全区画の空気中のＶＯＣ濃度が規定値以下になると作動停止することを特徴とする請求項２に記載のＶＯＣ除去システム。
【発明の詳細な説明】
【技術分野】
【０００１】
本発明は、ＶＯＣ除去システムに関するものである。
【背景技術】
【０００２】
屋内空気から空気中の揮発性有機化合物（以下ＶＯＣと書く）を回収すると共にＶＯＣが除去された屋内空気を屋内へ戻すＶＯＣ除去装置と、屋内の複数の区画を纏めてＶＯＣ除去装置に接続する接続装置とを備えることを特徴とするＶＯＣ除去システムが特許文献１に開示されている。
【特許文献１】特開２００２−１３７７５
【発明の開示】
【発明が解決しようとする課題】
【０００３】
空気中のＶＯＣ濃度は一般に区画毎に異なる。従って、屋内空気中のＶＯＣを除去するＶＯＣ除去システムを構築する場合、屋内に形成された複数の区画の空気中ＶＯＣ濃度を区画毎に独立して計測でき、屋内に形成された複数の区画の空気中ＶＯＣを区画毎に独立して除去できるシステムにすれば、ＶＯＣ濃度の高い区画のみＶＯＣ除去を行なう等の作動フローの最適化により、ランニングコストを低減できる。特許文献１のシステムでは、屋内の複数の区画が纏めてＶＯＣ除去装置に接続されているので、上述のコスト低減を実現できない。
本発明は上記課題に鑑みてなされたものであり、屋内に形成された複数の区画の空気中ＶＯＣ濃度を区画毎に独立して計測でき、屋内に形成された複数の区画の空気中ＶＯＣを区画毎に独立して除去できるＶＯＣ除去システムを提供することを目的とする。
【課題を解決するための手段】
【０００４】
上記課題を解決するために、本発明においては、屋内空気からＶＯＣを回収して屋外に排出すると共にＶＯＣが除去された屋内空気を屋内へ戻すＶＯＣ除去装置と、ＶＯＣ除去装置内に配設されたＶＯＣセンサーと、屋内の複数の区画中の任意の一つ又は複数をＶＯＣ除去装置に接続する接続装置とを備えることを特徴とするＶＯＣ除去システムを提供する。
本発明に係るＶＯＣ除去システムを使用すれば、屋内の複数の区画を択一的にＶＯＣ除去装置に接続し、ＶＯＣ除去装置内に配設したＶＯＣセンサーを作動させることにより、屋内に形成された複数の区画の空気中ＶＯＣ濃度を区画毎に独立して計測することができる。また、屋内の複数の区画を択一的にＶＯＣ除去装置に接続し、ＶＯＣ除去装置を作動させることにより、屋内に形成された複数の区画の空気中ＶＯＣを区画毎に独立して除去することができる。
本発明に係るＶＯＣ除去システムを使用すれば、ＶＯＣ濃度の高い区画のみＶＯＣ除去を行なう等の作動フローの最適化により、ランニングコストを低減できる。
本発明に係るＶＯＣ除去システムを使用すれば、空気中ＶＯＣ濃度が規定値を超えている区画が複数ある場合に、当該複数の区画を纏めてＶＯＣ除去装置に接続してＶＯＣ除去を行なうこともできるので、本発明に係るＶＯＣ除去システムは使い勝手が良い。
【０００５】
本発明の好ましい態様においては、屋内の複数の区画を順次択一的に接続装置によりＶＯＣ除去装置に接続してＶＯＣセンサーにより空気中のＶＯＣ濃度を計測し、全区画の空気中のＶＯＣ濃度を計測した後、空気中のＶＯＣ濃度が規定値を超える区画を択一的に又は複数纏めて接続装置によりＶＯＣ除去装置に接続して空気中のＶＯＣを除去する。
ＶＯＣ濃度の高い区画のみＶＯＣ除去を行なうことにより、ランニングコストを低減できる。
空気中のＶＯＣ濃度が規定値を超える区画が複数ある場合、当該区画を択一的にＶＯＣ除去装置に接続してＶＯＣ除去を行なっても良く、或いは当該複数の区画を纏めてＶＯＣ除去装置に接続してＶＯＣ除去を行なっても良い。ＶＯＣ除去モードを選択できるので本発明に係るＶＯＣ除去システムは使い勝手が良い。
【０００６】
本発明の好ましい態様においては、全区画の空気中のＶＯＣ濃度が規定値以下になると、ＶＯＣ除去システムは作動停止する。
全区画の空気中のＶＯＣ濃度が規定値以下になると作動停止することにより、システムの消費エネルギーが節約される。
【発明の効果】
【０００７】
本発明に係るＶＯＣ除去システムを使用すれば、屋内の複数の区画を択一的にＶＯＣ除去装置に接続し、ＶＯＣ除去装置内に配設したＶＯＣセンサーを作動させることにより、屋内に形成された複数の区画の空気中ＶＯＣ濃度を区画毎に独立して計測することができる。また、屋内の複数の区画を択一的にＶＯＣ除去装置に接続し、ＶＯＣ除去装置を作動させることにより、屋内に形成された複数の区画の空気中ＶＯＣを区画毎に独立して除去することができる。
本発明に係るＶＯＣ除去システムを使用すれば、空気中のＶＯＣ濃度の高い区画のみＶＯＣ除去を行なう等の作動フローの最適化により、ランニングコストを低減できる。
本発明に係るＶＯＣ除去システムを使用すれば、空気中ＶＯＣ濃度が規定値を超えている区画が複数ある場合に、当該複数の区画を纏めてＶＯＣ除去装置に接続してＶＯＣ除去を行なうこともできるので、本発明に係るＶＯＣ除去システムは使い勝手が良い。
【発明を実施するための最良の形態】
【０００８】
本発明の実施例を説明する。
【実施例１】
【０００９】
図１に示すように、ＶＯＣ除去システムは、ＶＯＣセンサーを有するＶＯＣ除去装置Ａと、部屋１、部屋２、部屋３の空気をそれぞれＶＯＣ除去装置Ａへ導くマニホールドＢとを備えている。マニホールドＢの部屋１、部屋２、部屋３に接続する分岐流路Ｂ１、Ｂ２、Ｂ３にダンパーＣ１、Ｃ２、Ｃ３が配設されている。
ＶＯＣ除去システムは更に、ＶＯＣ除去装置ＡによってＶＯＣが除去された空気を部屋１、部屋２、部屋３へ導くマニホールドＤと、ＶＯＣ除去装置ＡによってＶＯＣが付加された空気を屋外へ導く排気ダクトＥとを備えている。
ＶＯＣ除去システムは更に、制御装置Ｆを備えている。制御装置Ｆは、ＶＯＣ除去装置Ａの作動を制御すると共に、ＶＯＣセンサーの検知情報に基づいて部屋１、部屋２、部屋３内の空気中のＶＯＣ濃度を判断し、ダンパーＣ１、Ｃ２、Ｃ３を開閉駆動するダンパー駆動装置Ｇの作動を、ＶＯＣ濃度に応じて制御する。
【００１０】
図２に示すように、ＶＯＣ除去除去装置Ａは、図示しないモータにより駆動されて回転する再生可能なＶＯＣ吸着ロータ１を備えている。ＶＯＣ吸着ロータ１は、セラミックペーパーをハニカム状に形成し、この上に疎水性ゼオライトを担持した素材等の、ＶＯＣ吸着可能な且つ吸着したＶＯＣを放出してＶＯＣ吸着可能状態に再生可能な素材により構成されている。
ＶＯＣ除去装置Ａは更に、ＶＯＣ吸着ロータ１の正面視投影上で第１の扇形部分を形成するＶＯＣ吸着ロータの吸着領域１ａに屋内空気αを流し、吸着領域１ａを通過した後の屋内空気α’を屋内へ戻すための第１空気流路２と、第１空気流路２内に配設された第１送風機３と、ＶＯＣ吸着ロータ１の正面視投影上で残余の扇形部分を形成するＶＯＣ吸着ロータの再生領域１ｂに屋内空気αを流し、再生領域１ｂを通過した後の屋内空気α”を屋外へ排出するための第２空気流路４と、第２空気流路４内に配設された第２送風機５と、第２空気流路４内に且つ第２空気流路４内の空気流に関してＶＯＣ吸着ロータ１よりも上流に配設したヒータ６と、第２空気流路４内に且つ第２空気流路４内の空気流に関してＶＯＣ吸着ロータ１よりも下流に配設したＶＯＣセンサー７とを備えている。
第１空気流路２の上流端と、第２空気流路４の上流端とはマニホールドＢに接続し、第１空気流路２の下流端はマニホールドＤに接続し、第２空気流路４の下流端は排気ダクトＥに接続している。
【００１１】
本実施例に係るＶＯＣ除去システムの作動例を、図３のフローチャートを参照しつつ説明する。
電源ＯＦＦ時には、ＶＯＣ除去装置Ａ、制御装置Ｆ、ダンパー駆動装置Ｇは停止しており、ダンパーＣ１、Ｃ２、Ｃ３は閉じている。
人手により電源がＯＮされると、制御装置Ｆが、ＶＯＣ除去装置Ａの第１送風機３、第２送風機５、ヒータ６、ＶＯＣセンサー７を起動させ、ダンパー駆動装置Ｇを起動させる（Ｓ１）。
【００１２】
制御装置Ｆはダンパー駆動装置Ｇを介して、ダンパーＣ１を開放する（Ｓ２）。
部屋１内の屋内空気αがマニホールドＢを通って、ＶＯＣ除去装置Ａの第１空気流路２の上流端と第２空気流路４の上流端とに流入する。第１空気流路２を流れる屋内空気α中のＶＯＣが、ＶＯＣ吸着ロータ１の吸着領域１ａに吸着され、ＶＯＣ吸着ロータ１の再生領域１ｂを通過する加熱された屋内空気α中に放出される。ＶＯＣが除去された屋内空気α’は第１空気流路２を通ってＶＯＣ除去装置Ａから流出し、マニホールドＤを介して部屋１に戻る。ＶＯＣが付加された屋内空気α”は第２空気流路４を通ってＶＯＣ除去装置Ａから流出し、排気ダクトＥを通って屋外へ排出される。
空気流路４を流れる屋内空気α”のＶＯＣ濃度をＶＯＣセンサー７が計測する（Ｓ３、Ｓ４）。
吸着領域１ａに吸着されたＶＯＣが、再生領域１ｂを通過する加熱された空気中に１００％放出されると仮定すると、屋内空気α”中のＶＯＣは屋内空気α中のＶＯＣに対して、（（第１空気流路２を流れる空気流の流量＋第２空気流路４を流れる空気流の流量）／第２空気流路４を流れる空気流の流量）倍に濃縮されている。一般にＶＯＣ濃度が低い場合にはＶＯＣセンサー７の計測精度は低下するが、屋内空気α中のＶＯＣ濃度が高精度の計測が不可能な低レベルであっても、第１空気流路２内の空気流の流量を第２空気流路４内の空気流の流量よりも大きな適正値に設定しておけば、屋内空気α”中のＶＯＣ濃度を、高精度の計測が可能な高レベルまで上昇させることができる。従って、屋内空気α”中の高レベルのＶＯＣ濃度を高精度に計測し、当該計測値から逆算して、間接的に屋内空気α中のＶＯＣ濃度を高精度に計測することができる。
制御装置Ｆは、所定の短時間に亙ってダンパーＣ１を開放し、ＶＯＣセンサー７の検知情報に基づいて部屋１内の屋内空気α中のＶＯＣ濃度を把握し記憶する（Ｓ５）。
【００１３】
次いで制御装置ＦはダンパーＣ１を閉じ、所定の短時間に亙ってダンパーＣ２を開放し、ＶＯＣセンサー７の検知情報に基づいて部屋２内の屋内空気α中のＶＯＣ濃度を把握し記憶する。次いで制御装置ＦはダンパーＣ２を閉じ、所定の短時間に亙ってダンパーＣ３を開放し、ＶＯＣセンサー７の検知情報に基づいて部屋３内の屋内空気α中のＶＯＣ濃度を把握し記憶する（Ｓ６、Ｓ２〜Ｓ５）。
【００１４】
屋内空気α中のＶＯＣ濃度が規定値よりも高い部屋が無い時は、制御装置Ｆは、ＶＯＣ除去装置Ａ、ダンパー駆動装置Ｇを停止させる。人手により電源が切られて、制御装置Ｆの作動も停止し、システム全体が作動停止する（Ｓ７〜Ｓ９）。
【００１５】
屋内空気α中のＶＯＣ濃度が規定値よりも高い部屋がある時は、制御装置Ｆは、ダンパー駆動装置Ｇを介して、屋内空気α中のＶＯＣ濃度が規定値以下の部屋のダンパーを全て閉じ、屋内空気α中のＶＯＣ濃度が規定値を超える部屋のダンパーを所定の長時間に亙って全て開く。ＶＯＣ除去装置Ａは作動を継続しており、再生領域１ｂにおいてＶＯＣを放出して再生されたＶＯＣ吸着ロータ１が、吸着領域１ａにおいて再びＶＯＣを吸着する。ＶＯＣ吸着ロータ１によるＶＯＣの吸着と放出とが所定の長時間に亙って繰り返され、ＶＯＣ濃度が高かった部屋のＶＯＣ除去が所定の長時間に亙って纏めて行なわれ、これらの部屋の屋内空気α中のＶＯＣ濃度が低下する（Ｓ８、Ｓ１０〜Ｓ１６）。
【００１６】
制御装置Ｆは、各部屋の屋内空気α中のＶＯＣ濃度測定を再開する（Ｓ２〜Ｓ６）。各部屋の屋内空気α中のＶＯＣ濃度測定と、ＶＯＣ濃度が規定値を超える部屋の屋内空気α中のＶＯＣ除去とが繰り返されて、全部屋の屋内空気α中のＶＯＣ濃度が規定値以下に制御される。
【００１７】
図３の作動例において、屋内空気α中のＶＯＣ濃度が規定値よりも高い部屋がある時に、制御装置Ｆが、ダンパー駆動装置Ｇを介して、屋内空気α中のＶＯＣ濃度が規定値以下の部屋のダンパーを全て閉じ、屋内空気α中のＶＯＣ濃度が規定値を超える部屋のダンパーを所定の長時間に亙って全て開き、これらの部屋のＶＯＣ除去を所定の長時間に亙って纏めて行なう（Ｓ１０〜Ｓ１６）作動を、図４のフローチャートに示すように、制御装置Ｆが、ダンパー駆動装置Ｇを介して、屋内空気α中のＶＯＣ濃度が規定値以下の部屋のダンパーを全て閉じ、屋内空気α中のＶＯＣ濃度が規定値を超える部屋のダンパーを全て開き、これらの部屋の屋内空気α中のＶＯＣ濃度が規定値以下になるまで、これらの部屋のＶＯＣ除去を纏めて行なう（Ｓ１０、Ｓ１１、Ｓ１３’〜Ｓ１５’）作動に替えても良い。
【００１８】
図３の作動例において、屋内空気α中のＶＯＣ濃度が規定値よりも高い部屋がある時に、制御装置Ｆが、ダンパー駆動装置Ｇを介して、屋内空気α中のＶＯＣ濃度が規定値以下の部屋のダンパーを全て閉じ、屋内空気α中のＶＯＣ濃度が規定値を超える部屋のダンパーを所定の長時間に亙って全て開き、これらの部屋のＶＯＣ除去を所定の長時間に亙って纏めて行なう（Ｓ１０〜Ｓ１６）作動を、図５のフローチャートに示すように、制御装置Ｆが、ダンパー駆動装置Ｇを介して、屋内空気α中のＶＯＣ濃度が最も高い部屋以外の部屋のダンパーを全て閉じ、屋内空気α中のＶＯＣ濃度が最も高い部屋のダンパーを所定の長時間に亙って開き、当該部屋の屋内のＶＯＣ除去を所定の長時間に亙って行なう（Ｓ１０’Ｓ１１’、Ｓ１２〜Ｓ１６）作動に替えても良い。
【００１９】
図３の作動例において、屋内空気α中のＶＯＣ濃度が規定値よりも高い部屋がある時に、制御装置Ｆが、ダンパー駆動装置Ｇを介して、屋内空気α中のＶＯＣ濃度が規定値以下の部屋のダンパーを全て閉じ、屋内空気α中のＶＯＣ濃度が規定値を超える部屋のダンパーを所定の長時間に亙って全て開き、これらの部屋のＶＯＣ除去を所定の長時間に亙って纏めて行なう（Ｓ１０〜Ｓ１６）作動を、図６のフローチャートに示すように、制御装置Ｆが、ダンパー駆動装置Ｇを介して、屋内空気α中のＶＯＣ濃度が最も高い部屋以外の部屋のダンパーを全て閉じ、屋内空気α中のＶＯＣ濃度が最も高い部屋のダンパーを開き、当該部屋の屋内空気α中のＶＯＣ濃度が規定値以下になるまで、当該部屋のＶＯＣ除去を行なう（Ｓ１０’、Ｓ１１’、Ｓ１３’〜Ｓ１５’）作動に替えても良い。
【００２０】
上記説明から分かるように、本実施例に係るＶＯＣ除去システムを使用すれば、屋内の複数の区画を択一的にＶＯＣ除去装置Ａに接続し、ＶＯＣ除去装置内に配設したＶＯＣセンサー７を作動させることにより、屋内に形成された複数の区画の空気中ＶＯＣ濃度を区画毎に独立して計測することができる。また、屋内の複数の区画を択一的にＶＯＣ除去装置Ａに接続し、ＶＯＣ除去装置Ａを作動させることにより、屋内に形成された複数の区画の空気中ＶＯＣを区画毎に独立して除去することができる。
本実施例に係るＶＯＣ除去システムを使用すれば、ＶＯＣ濃度の高い区画のみＶＯＣ除去を行なう等の作動フローの最適化により、ランニングコストを低減できる。
本実施例に係るＶＯＣ除去システムを使用すれば、空気中ＶＯＣ濃度が規定値を超えている区画が複数ある場合に、当該複数の区画を択一的にＶＯＣ除去装置Ａに接続してＶＯＣ除去を行なうこともでき、或いは当該複数の区画を纏めてＶＯＣ除去装置Ａに接続してＶＯＣ除去を行なうこともできるので、本実施例に係るＶＯＣ除去システムは使い勝手が良い。
本実施例に係るＶＯＣ除去システムにおいては、全区画の空気中のＶＯＣ濃度が規定値以下になると、ＶＯＣ除去システムが作動停止することにより、エネルギーの消費が節約される。
【実施例２】
【００２１】
図７に示すように、第１実施例のＶＯＣ除去装置Ａに、回転する水分吸着ロータ８を付加し、第１空気流路２は回転する水分吸着ロータ８の正面視投影上で第１の扇形部分を形成する水分吸着ロータの吸着領域８ａとＶＯＣ吸着ロータ１の吸着領域１ａとに且つ水分吸着ロータ８からＶＯＣ吸着ロータ１へ向けて屋内空気αを流し、第２空気流路４は回転する水分吸着ロータ８の正面視投影上で残余の扇形部分を形成する水分吸着ロータ８の再生領域８ｂとＶＯＣ吸着ロータ１の再生領域１ｂとに且つ水分吸着ロータ８からＶＯＣ吸着ロータ１へ向けて屋内空気αを流すように構成しても良い。水分吸着ロータ８は、セラミックペーパーをハニカム状に形成し、この上に親水性ゼオライトを担持した素材等の、水分吸着可能な且つ吸着した水分を放出して水分吸着可能状態に再生可能な素材により構成する。
一般に、ＶＯＣ吸着ロータ１のＶＯＣ吸着領域１ａのＶＯＣ吸着性能は当該領域を通過する空気の湿度が高いと低下する。従って、第１空気流路２を流れる屋内空気αの流れに関して、ＶＯＣ吸着ロータ１の吸着領域１ａの上流に、水分吸着ロータ８の吸着領域８ａを配設して、ＶＯＣ吸着ロータ１の吸着領域１ａを通過する屋内空気αの湿度を低下させるのが望ましい。
【実施例３】
【００２２】
第１実施例中のＶＯＣ吸着ロータの吸着領域１ａと再生領域１ｂの形状、並びに第２実施例中の水分吸着ロータ８の吸着領域８ａと再生領域８ｂの形状は、扇形に限定されない。円形、長方形、台形等でも良い。
第２空気流路４に、屋内空気に代えて屋外空気を流しても良い。
ＶＯＣ除去装置Ａの構成は、実施例１、２の構成に限定されない。屋内空気中のＶＯＣ濃度を検出しつつ屋内空気中のＶＯＣを除去できるものであればどのような構成のものでも良い。
【産業上の利用可能性】
【００２３】
本発明は、ＶＯＣ除去システムに広く利用可能である。
【図面の簡単な説明】
【００２４】
【図１】本発明の第１実施例に係るＶＯＣ除去システムの機器構成図である。
【図２】本発明の第１実施例に係るＶＯＣ除去システムが備えるＶＯＣ除去装置の機器構成図である。
【図３】本発明の第１実施例に係るＶＯＣ除去システムの作動例のフローチャートである。
【図４】本発明の第１実施例に係るＶＯＣ除去システムの作動例のフローチャートである。
【図５】本発明の第１実施例に係るＶＯＣ除去システムの作動例のフローチャートである。
【図６】本発明の第１実施例に係るＶＯＣ除去システムの作動例のフローチャートである。
【図７】本発明の第２実施例に係るＶＯＣ除去システムが備えるＶＯＣ除去装置の機器構成図である。
【符号の説明】
【００２５】
Ａ  ＶＯＣ除去装置
Ｂ  マニホールド
Ｃ１、Ｃ２、Ｃ３  ダンパー
Ｄ  マニホールド
Ｅ  排気ダクト
Ｆ  制御装置
Ｇ  ダンパー駆動装置
１  ＶＯＣ吸着ロータ
１ａ  吸着領域
１ｂ  再生領域
２、４  空気流路
３、５  送風機
６  ヒータ
７  ＶＯＣセンサー
８  水分吸着ロータ
８ａ  吸着領域
８ｂ  再生領域
α  屋内空気
α’  ＶＯＣを除去された屋内空気
α”  ＶＯＣを付加された屋内空気
【図１】
2006242482.tif 000003
【図２】
2006242482.tif 000004
【図３】
2006242482.tif 000005
【図４】
2006242482.tif 000006
【図５】
2006242482.tif 000007
【図６】
2006242482.tif 000008
【図７】
2006242482.tif 000009